(57)【特許請求の範囲】
【請求項１】
一方面と、前記一方面の反対側の他方面と、を含んだ表示パネルと、
前記表示パネルと電気的に接続されたプリント基板と、
前記一方面に沿った第１面と、前記他方面に沿った第２面と、前記第１面と前記第２面とに亘るとともに前記第１面および前記第２面よりも外側に突出した第３面と、該第３面と面して前記第１面と前記第２面とに亘るとともに前記第１面および前記第２面よりも内側に凹んだ第１凹部を含む第４面と、前記第１面から前記第４面にそれぞれ連続するとともに内側に凹んだ第２凹部を含む第５面と、を有し、前記表示パネルと前記プリント基板が収納された筐体と、を含み、
前記第２凹部には、前記プリント基板と電気的に接続されて外部からの操作入力を受け付ける受付部が設けられ、
前記受付部の先端が、前記第１面および前記第２面よりも外側に突出した電子機器。
【請求項２】
一方面と、前記一方面の反対側の他方面と、を含んだ表示パネルと、
前記表示パネルと電気的に接続されたプリント基板と、
前記一方面に沿った第１面と、前記他方面に沿った第２面と、前記第１面と前記第２面とに連続して長手方向に延びるとともに外側に円弧状に突出した第３面と、前記第１面と前記第２面とに連続し前記第３面と面するとともに内側に凹んだ第１凹部を含む第４面と、を有するとともに、前記表示パネルと前記プリント基板とを収納した筐体と、
を備え、
前記プリント基板は、前記筐体内で前記第４面よりも前記第３面側に寄って位置された電子機器。
【請求項３】
前記受付部は、前記第２凹部内に並んで設けられた複数の操作ボタンと、前記第２凹部内に前記複数の操作ボタンと並んで設けられた電源ボタンと、を含む請求項１に記載の電子機器。
【請求項４】
前記筐体は、前記第１面から前記第４面にそれぞれ連続するとともに内側に凹んだ第２凹部を含む第５面を備え、前記第２凹部に前記プリント基板と電気的に接続されて外部からの操作入力を受け付ける受付部が設けられ、前記受付部は、前記第２凹部内に並んで設けられた複数の操作ボタンと、前記第２凹部内に前記複数の操作ボタンと並んで設けられた電源ボタンと、を含む請求項２に記載の電子機器。
【請求項５】
前記電源ボタンは、前記複数の操作ボタンよりも前記筐体の内部側に位置された請求項３又は請求項４に記載の電子機器。
【請求項６】
前記電源ボタンは、前記第５面と交差する方向に進退可能であるとともに、通常位置にある前記電源ボタンは、前記第２凹部の周囲を規定する第２縁部よりも前記筐体の内部側に位置される請求項５に記載の電子機器。
【請求項７】
前記第３面は、円弧状の断面を有する請求項６に記載の電子機器。
【請求項８】
前記電源ボタンは、前記第３面の近傍に設けられ、前記第３面の形状に沿った長円形をなした請求項７に記載の電子機器。
【請求項９】
前記複数の操作ボタンは、押下げ位置で前記第２凹部の周囲を規定する前記第２縁部よりも前記筐体の内部側に位置される請求項８に記載の電子機器。
【請求項１０】
前記筐体に設けられ、前記第１面から前記第４面にそれぞれ連続し、前記第５面に面するとともに内側に凹んだ第３凹部を含む第６面と、前記第３凹部内に設けられるとともに情報が記載されたラベルと、を備える請求項９に記載の電子機器。
【請求項１１】
前記筐体の内部に設けられたスピーカと、前記第３凹部内で前記スピーカの近傍に設けられた複数の開口部と、を備える請求項１０に記載の電子機器。
【請求項１２】
前記筐体は、前記第１凹部から前記第３凹部に跨るように前記第１凹部から前記第３凹部のそれぞれからさらに窪んだ窪み部を有する請求項１１に記載の電子機器。
【請求項１３】
前記筐体は、
前記第１凹部の周囲を規定する第１縁部と、
前記第３凹部の周囲を規定する第３縁部と、を有し、
前記第１縁部、前記第２縁部および前記第３縁部のそれぞれは、前記第４面、前記第５面および前記第６面と前記第１面とがなす稜角のそれぞれと、前記第４面、前記第５面および前記第６面と前記第２面とがなす稜角のそれぞれと、を除去するように斜めになった請求項１２に記載の電子機器。
【請求項１４】
一方面と、前記一方面の反対側の他方面と、を含んだ表示パネルと、
前記一方面に沿った第１面と、前記他方面に沿った第２面と、前記第１面と前記第２面とに連続して長手方向に延びるとともに外側に突出した第３面と、前記第１面と前記第２面とに連続し前記第３面と面するとともに内側に凹んだ第１凹部を含む第４面と、を有するとともに、前記表示パネルを収納した筐体と、を備え、
前記第１凹部は、前記筐体の厚み方向における中央部において、最も前記筐体の内部側に位置された電子機器。
【請求項１５】
一方面と、前記一方面の反対側の他方面と、を含んだ表示パネルと、
前記一方面に沿った第１面と、前記他方面に沿った第２面と、前記第１面と前記第２面とに連続して長手方向に延びるとともに外側に突出した第３面と、前記第１面と前記第２面とに連続し前記第３面と面するとともに内側に凹んだ第１凹部を含む第４面と、を有するとともに、前記表示パネルを収納した筐体と、を備え、
前記筐体は、前記第１凹部からさらに内側に窪んだ窪み部を有する電子機器。
【発明の詳細な説明】
【技術分野】
【０００１】
本発明の実施形態は、操作部を有するテレビおよび電子機器に関する。
【背景技術】
【０００２】
ディスプレイ装置等において、本体に操作部を設けたものが知られている。
【先行技術文献】
【特許文献】
【０００３】
【特許文献１】特開２００４−２１９６４５号公報
【発明の概要】
【発明が解決しようとする課題】
【０００４】
本体に操作部を設ける場合、製品の外観に影響を及ぼす場合がある。一方、操作部に対するユーザの使い易さにも配慮する必要がある。
【課題を解決するための手段】
【０００５】
一つの実施形態に係るテレビは、一方面と、前記一方面の反対側の他方面と、を含んだ表示パネルと、
前記表示パネルと電気的に接続されたプリント基板と、
前記表示パネルと前記プリント基板が収納された筐体と、を備えている。
前記筐体は、前記一方面に沿った第１面と、前記他方面に沿った第２面と、前記第１面と前記第２面とに亘るとともに前記第１面および前記第２面よりも外側に突出した第３面と、該第３面と面して前記第１面と前記第２面とに亘るとともに前記第１面および前記第２面よりも内側に凹んだ第１凹部を含む第４面と、前記第１面から前記第４面にそれぞれ連続するとともに内側に凹んだ第２凹部を含む第５面と、を有している。前記第２凹部には、前記プリント基板と電気的に接続されて外部からの操作入力を受け付ける受付部が設けられ、当該受付部の先端が、前記第１面および前記第２面よりも外側に突出されている。
【図面の簡単な説明】
【０００６】
【図１】第１の実施形態の電子機器の一例であるテレビを示した正面図。
【図２】図１に示すテレビを右側から見た側面図。
【図３】図２に示すＦ３−Ｆ３線に沿った断面図。
【図４】図１に示すテレビが壁にぶつかる際の動作を示した上面模式図。
【図５】第２の実施形態の電子機器の一例であるテレビを右側から見た側面図。
【図６】第３の実施形態の電子機器の一例であるポータブルコンピュータを示した正面図。
【図７】図６に示すポータブルコンピュータの上面を示した上面図。
【図８】図６に示すポータブルコンピュータの下面を示した下面図。
【図９】図６に示すポータブルコンピュータを右側から見た側面図。
【図１０】図６に示すポータブルコンピュータの筐体の第２ケースを取り外した状態で第１ケース内を示した背面図。
【図１１】図６に示すポータブルコンピュータの筐体の第１ケースのケース本体、中間部材、第２ケースを分解して示す斜視図。
【図１２】図６に示すポータブルコンピュータの操作ボタン付近を拡大して示す正面図。
【図１３】図６に示すポータブルコンピュータのＦ１３−Ｆ１３線に沿った断面図。
【図１４】図６に示すポータブルコンピュータのＦ１４−Ｆ１４線に沿った断面図。
【図１５】図７に示すポータブルコンピュータの一部を拡大して示した上面図。
【図１６】図６に示すポータブルコンピュータの電源ボタン付近を拡大して示す斜視図。
【図１７】図６に示すポータブルコンピュータのスピーカおよび筐体の第６面（第３凹部）を拡大して示す断面図。
【図１８】図６に示すポータブルコンピュータのラベルおよび筐体の第６面（第３凹部）を拡大して示す断面図。
【図１９】図６に示すポータブルコンピュータの筐体の第１ケースから第２ケースを取り外したり、取り付けたりする工程を示す断面図。
【図２０】図６に示すポータブルコンピュータを左側から見た側面図。
【図２１】第３の実施形態の電子機器の一例であるポータブルコンピュータの変形例を示し、第２ケースを取り外した状態で第１ケース内部を示した背面図。
【発明を実施するための形態】
【０００７】
以下、図１から図４を参照して、電子機器の第１の実施形態について説明する。図１に示すように、本実施形態にかかる電子機器の一例であるテレビ１１は、略長方形（矩形、扁平な箱型、正面からみた形状が長方形）の外観を有した表示装置（電子機器、テレビジョン、テレビジョン受像機、受像機、放送波受信装置、受信装置、画像表示装置、装置、表示パネルを含む機器）である。第１の実施形態のテレビは、第３の実施形態のポータブルコンピュータと類似する構成を有するため、ここでは概略的に説明し、詳細については第３の実施形態の中で説明するとともに適宜に第３の実施形態中の図面を参照する。
【０００８】
図１に示すように、このテレビ１１は、筐体（ハウジング、ケース、外郭、外部部材、保護部材、パーツ）１２と、筐体１２を支持する脚部（スタンド、支持部、台部、支部、突出部、延出部）１３と、を備えている。脚部１３は、筐体１２を水平方向（外部の載知面に対して沿う方向）に旋回させるためのスイベル部（旋回部、回転部、回動部、変位部、位置操作部、移動部）１４を含んでいる。
【０００９】
テレビ１１は、チューナ基板（プリント回路板、基板、電子部品、部品、チューナ部、チューナ装置、チューナ制御部）１９と、テレビ１１の各部を統括的に制御するシステム基板１５（プリント回路板、基板、電子部品、部品、システム部、制御部）と、電源回路基板（プリント回路板、基板、電子部品、部品、電源部、電源接続部、電源制御部）と、例えば可撓性のあるケーブル等を介してシステム基板１５に電気的に接続されたスイッチ基板（プリント回路板、基板、電子部品、部品、スイッチ部、システム基板制御部）１６と、表示画面として画像が表示される一方面（表面、面、部分、領域）１７Ａおよびこれと反対側の他方面（表面、面、部分、領域、一方面と対向する部分、一方面に沿う部分）１７Ｂを含む平板状（シート状、平坦な面を有する）の表示パネル１７と、を筐体１２の内部に備えている。表示パネル１７は、例えば、液晶ディスプレイパネルで構成されているが、例えばプラズマディスプレイパネル、有機ＥＬ、プラスチックディスプレイパネル、シートディスプレイパネル等、他の種類のディスプレイパネルであってもよい。表示パネル１７は、システム基板１５と電気的に接続されている。
【００１０】
図１、図２に示すように、筐体１２は、一方面１７Ａに沿った第１面２１（前面）と、他方面１７Ｂに沿った第２面２２（後面）と、第１面２１と第２面２２とに連続して長手方向に延びる第３面２３（下面）と、第３面２３とは異なる位置で第１面２１と第２面２２とに亘り（連続し）第３面２３と面する第４面２４（上面）と、第１面２１から第４面２４にそれぞれ亘る（連続する）第５面２５（右側から見た側面、右側面）と、第５面２５と面するとともに第１面２１から第４面２４にそれぞれ亘る（連続する）第６面２６（左側から見た側面、左側面）と、を有する箱状をなしている。
【００１１】
第３面２３は、第１面２１および第２面２２よりも外側に突出しており、円弧状（湾曲されたような形状）の断面を有している。即ち、筐体１２内部から外部に向かって張り出した形状、両側面よりも中央部分が外に位置する形状、非平坦な面を有する形状、突出部が設けられた形状であると言い換えられる。
【００１２】
第４面２４は、第１面２１および第２面２２よりも内側に凹んだ第１凹部（開口部、窪み部）３１を含んでいる。第５面２５は、内側に凹んだ第２凹部（開口部、窪み部、壁に挟まれた部分）３２をその一部に含んでいる。第６面２６は、内側に凹んだ第３凹部（開口部、窪み部）３３を含んでいる。即ち、これらの凹んだ部分を有する形状は、筐体１２外部から内部に向かって奥まった形状、両側面よりも中央部分が内に位置する形状、第３面２３とは異なる非平坦な面を有する形状、両端が突出された形状であると言い換えられる。
【００１３】
システム基板１５（プリント回路板）は、筐体１２の内部で第３面２３の近傍（他の面よりも第３面２３に寄った位置、基板側面の一部と第３面２３の内面の一部とが互いに対向するように位置）に設けられている。このため、システム基板１５は、応力を分散し易い円弧状の第３面２３付近に配置され、外部から衝撃を受けても破損が起こりにくくなっている。
【００１４】
筐体１２は、さらに、第１凹部３１の周囲を規定する第１縁部（端部、側部、周部、縁、突出部、凸部、突部、壁部の一部、延部）４１と、第２凹部３２の周囲を規定する第２縁部（端部、側部、周部、縁、突出部、凸部、突部、壁部の一部、延部）４２と、第３凹部３３の周囲を規定する第３縁部（端部、側部、周部、縁、突出部、凸部、突部、壁部の一部、延部）４３と、を有している。特に本実施形態では、第２縁部４２は、第２凹部３２、複数の操作ボタン（操作部、ボタン、入力部、入力受付部、受付部、変位部）５１、電源ボタン（操作部、ボタン、入力部、入力受付部、受付部、変位部）５２の周囲を方形の枠状に取り囲んでいる（図２参照）。
【００１５】
図１から図３に示すように、第１縁部４１から第３縁部４３のそれぞれは、第４面２４から第６面２６と第１面２１とがなす稜角（角）のそれぞれと、第４面２４から第６面２６と第２面２２とがなす稜角（角）のそれぞれと、を除去する（無くす、平坦面又は曲面に近づける）ように斜めに形成されている。
【００１６】
筐体１２は、第１面２１を含むとともに表示パネル１７が固定される第１ケース（第１部材、部品）３４と、第２面２２を含むとともに第１ケース３４に対して第２面２２に沿う方向に着脱可能な第２ケース（第２部材、部品）３５と、第１ケース３４と第２ケース３５とを固定した複数の固定部材（固定部、部品、接続部）３６と、を有する。第１ケース３４は、ケース本体３４Ａと、ケース本体３４Ａに着脱可能に取り付けられる中間部材（第３部材、取り付け部）３４Ｂと、を有している。ケース本体３４Ａと中間部材３４Ｂとの間に、表示パネル１７が介在されている。
【００１７】
複数の固定部材３６は、第３面２３に対して第２面２２に沿う方向から取り付けられる（図１９参照）。固定部材３６のそれぞれは、例えばねじや係合用の爪部、フック、その他の部品・部材等で構成されている。図１９に示す第３の実施形態のように、第１ケース３４は、第１係合部３７を有する。第２ケース３５は、第１係合部３７と第２面２２に沿う方向に係合可能な第２係合部３８を有する。さらに図１に示すように、筐体１２は、第３面２３に設けられ記憶媒体および認証用のカードが差し込まれる複数のスロット用の第１孔（開口部、穴、収容部、差込部）４４と、複数の固定部材３６および複数のスロット用の第１孔４４を覆うように第３面２３に取り付けられた複数の化粧部材４５（化粧板、覆部、意匠部、筐体の一部、外部部材の一部）と、を有する。図２および、図９、図１１に示す第３の実施形態のように、筐体１２は、第１凹部３１から第３凹部３３に跨るように第１凹部３１から第３凹部３３のそれぞれからさらに窪んだ窪み部（凹んだ部分、奥まった部分、他の部分よりも低くなった部分）４６を有する。
【００１８】
図１から図３に示すように、テレビ１１は、第２凹部３２内に並んで設けられる複数の操作ボタン５１と、第２凹部３２内に複数の操作ボタン５１と並んで設けられる電源ボタン５２と、第３凹部３３内に設けられるとともに管理情報（情報）が記載されたラベル５３と、筐体１２の内部に設けられるスピーカ５４と、第３凹部３３内でスピーカ５４の近傍に設けられる複数の開口部５５と、を備えている。なお、複数の操作ボタン５１、電源ボタン５２、およびスイッチ基板１６によって、システム基板１５と電気的に接続されて外部からの操作入力を受け付ける受付部が構成される。第２凹部３２には、このように構成された受付部を外部に露出するための開口部３９が設けられる。
【００１９】
電源ボタン５２は、複数の操作ボタン５１よりも筐体１２の内部側に位置されている。図３に示すように、電源ボタン５２は、第５面２５と交差する方向に進退して、押し込み位置においてスイッチ基板１６と接して、テレビ１１の電源のオン・オフを行うことができる。通常位置にある電源ボタン５２は、第２縁部４２よりも微小な寸法分（０．１ｍｍ〜数ｍｍ程度）筐体１２の内部側に位置している。電源ボタン５２は、第３面２３の近傍に設けられており、複数の操作ボタン５１とは分離した位置に設けられている。電源ボタン５２は、第３面２３の円弧状の形状に沿った円弧部を有し、長円形をなしている。
【００２０】
複数の操作ボタン５１は、本実施形態では、例えば４個で構成されており、メニューボタン、チャンネル送りボタン、チャンネル戻りボタン、音量調整ボタンにそれぞれ対応している。複数の操作ボタン５１のそれぞれは、第５面２５と交差する方向に進退（変位）して、押し込み位置においてスイッチ基板１６と接してテレビ１１に各種の操作を行うことができる。通常位置にある複数の操作ボタン５１のそれぞれは、第２縁部４２（第１面２１および第２面２２）よりも、微小な寸法分（例えば０．１ｍｍ〜数ｍｍ程度）外側に突出して位置される。複数の操作ボタン５１のそれぞれは、押下げ位置において、第２縁部４２よりも筐体１２の内部側に位置される。音量調整ボタンに対応する操作ボタン５１は、指の形に沿って窪んだ凹所５６と、凹所５６の周囲に設けられる一対の端部５７と、を有している。各端部５７は、互いに異なる操作に対応しており、具体的には、音量の増加および音量の減少の操作に対応する。図１２に示す第３の実施形態と同様に、第２凹部３２の底を通る平面３２Ａと凹所５６との間の距離Ｄ１は、平面３２Ａと第２縁部４２との間の距離Ｄ２と略同一である。
【００２１】
本実施形態のテレビ１１では、複数の操作ボタン５１および電源ボタン５２を誤って押してしまうことによる誤作動する可能性が低減されている。具体的には、図４に示すように、テレビ１１をスイベル部１４を利用して水平方向に旋回させたときに、壁１８に対しては第２縁部４２が先に接触して、複数の操作ボタン５１および電源ボタン５２が誤って押されることが防止される。特に、影響の大きい電源ボタン５２については、第２縁部４２よりも筐体１２の内部側に配置されるので、誤って押される危険が著しく低減される。
【００２２】
第１の実施形態によれば、テレビ１１は、一方面１７Ａと、一方面１７Ａの反対側の他方面１７Ｂと、を含んだ表示パネル１７と、一方面１７Ａに沿った第１面２１と、他方面１７Ｂに沿った第２面２２と、第１面２１と第２面２２とに連続して長手方向に延びるとともに外側に突出した第３面２３と、第１面２１と第２面２２とに連続し第３面２３と面するとともに内側に凹んだ第１凹部３１を含む第４面２４と、を有するとともに、表示パネル１７を収納した筐体１２と、を備える。
【００２３】
この構成によれば、テレビ１１の全体形状を本型にすることができ、体裁を良好にすることができる。
【００２４】
テレビ１１は、筐体１２に設けられ、第１面２１から第４面２４にそれぞれ連続するとともに内側に凹んだ第２凹部３２を含む第５面２５と、第２凹部３２内に並んで設けられる複数の操作ボタン５１と、第２凹部３２内に複数の操作ボタン５１と並んで設けられる電源ボタン５２と、を備える。この構成によれば、第２凹部３２内に複数の操作ボタン５１および電源ボタン５２が配置されているため、第１面２１の方向から複数の操作ボタン５１および電源ボタン５２を見え難くすることができ、テレビ１１の体裁を良好できるとともに、これらの操作ボタン５１および電源ボタン５２を設けることによってテレビ１１の操作性を向上することができる。
【００２５】
本実施形態では、電源ボタン５２は、複数の操作ボタン５１よりも筐体１２の内部側に位置される。この構成によれば、電源ボタン５２を誤って押すことで電源のオン・オフの誤作動を生ずる危険性を低減できる。
【００２６】
この電源ボタン５２は、第５面２５と交差する方向に進退可能であるとともに、通常位置にある電源ボタン５２は、第２凹部３２の周囲を規定する第２縁部４２よりも筐体１２の内部側に位置される。この構成によれば、電源ボタン５２の押し誤りの危険性をさらに低減することができ、動作中のテレビ１１およびその周辺機器に影響を与える小さくすることができる。
【００２７】
この場合、第３面２３は、円弧状の断面を有する。この構成によれば、テレビ１１の体裁を良好にできる。電源ボタン５２は、第３面２３の形状に沿った長円形をなしている。この構成によれば、電源ボタン５２を第３面２３にできるだけ近づけて配置でき、筐体１２内のスペースの使用効率を向上できる。
【００２８】
テレビ１１は、筐体１２の内部で第３面２３の近傍に設けられるプリント回路板を備える。この構成によれば応力の集中し難い（応力を分散し易い）円弧状断面の第３面２３の近傍にプリント回路板を配置することができ、外部から衝撃が加えられた場合でも第３面２３付近で筐体１２の破損を防止するとともにプリント回路板の破損も防止できる。
【００２９】
本実施形態では、複数の操作ボタン５１は、第５面２５と交差する方向に進退可能であるとともに、通常位置にある複数の操作ボタン５１は、第２縁部４２よりも微小な寸法分外側に位置される。例えば、この構成のように、操作ボタン５１が第２縁部４２よりも筐体１２内側に完全に位置していなくても、第２縁部４２による操作ボタン５１の保護はある程度期待できる。上記の構成によれば、操作ボタン５１の誤操作の防止と、ユーザの良好な操作性と、のバランスをとることができる。
【００３０】
複数の操作ボタン５１は、押下げ位置で第２縁部４２よりも筐体１２の内部側に位置される。この構成によれば、操作ボタン５１を押下げた際にユーザの指等が第２縁部４２に突き当たって止まるため、ユーザが強い力で押した場合でも、押し過ぎによってボタンを破損してしまう危険性を低減できる。
【００３１】
複数の操作ボタン５１のうちの１個は、指の形に沿って窪んだ凹所５６と、凹所５６の周囲に設けられる一対の端部５７と、を有し、一対の端部５７のそれぞれは、互いに異なる操作に対応する。この構成によれば、１個のボタンで２つの操作を行うことができ、操作ボタン５１の数を低減してコスト低減を図ることができるとともに、筐体１２の小型化を図ることができる。
【００３２】
第２凹部３２の底を通る平面３２Ａと凹所５６との間の距離Ｄ１は、平面３２Ａと第２縁部４２との間の距離Ｄ２と略同一である。この構成によれば、当該凹所５６に指を掛けやすくして、指を掛けたまま当該操作ボタン５１を操作することができ、操作性を向上できる。
【００３３】
テレビ１１は、筐体１２に設けられ、第１面２１から第４面２４にそれぞれ連続し第５面２５と面するとともに内側に凹んだ第３凹部３３を含む第６面２６と、第３凹部３３内に設けられるとともに情報が記載されたラベル５３と、を備える。この構成によれば、当該ラベル５３を筐体１２から剥がれにくい箇所に設置して、意図せずラベル５３が筐体１２から脱落してしまうことを防止できる。
【００３４】
テレビ１１は、筐体１２の内部に設けられるスピーカ５４と、第３凹部３３内でスピーカ５４の近傍に設けられる複数の開口部５５と、を備える。この構成によれば、仮に第６面２６が壁等に接するようにテレビ１１が配置されたとしても、スピーカ５４からの音を外部に放出するための開口部５５が塞がれてしまうことを防止することができる。
【００３５】
筐体１２は、第１面２１を含むとともに表示パネル１７が固定される第１ケース３４と、第２面２２を含むとともに第１ケース３４に対して第２面２２に沿う方向に着脱可能な第２ケース３５と、第２面２２に沿う方向に延びて第１ケース３４と第２ケース３５とを固定した複数の固定部材３６と、を有する。この構成によれば、固定部材３６を第２面２２に沿う方向に配置して、筐体１２の厚み寸法を低減することができる。
【００３６】
筐体１２は、第１凹部から第３凹部３１〜３３に跨るように第１凹部から第３凹部３１〜３３のそれぞれからさらに窪んだ窪み部４６を有する。この構成によれば、筐体１２の体裁を良好にできるとともに、筐体１２の薄さを際立たせることができる。
【００３７】
第１縁部から第３縁部４１〜４３のそれぞれは、第４面から第６面２４〜２６と第１面２１とがなす稜角のそれぞれと、第４面から第６面２４〜２６と第２面２２とがなす稜角のそれぞれと、を除去するように斜めになっている。この構成によれば、筐体１２に丸みを持たせて体裁を良好にできるとともに、厚み寸法を小さく見せることができる。また、第４面２４は、上面である。このため、上面にほこり等がたまった場合でも、第４面２４を簡単に清掃することができる。
【００３８】
続いて、図５を参照して、電子機器の第２の実施形態について説明する。第２の実施形態の電子機器の一例であるテレビ１１は、第２縁部４２の構成が第１の実施形態と異なっているが、他の部分で第１の実施形態と概ね共通している。このため、主として第１の実施形態と異なる部分について説明し、共通する箇所については共通の符号を付して説明を省略する。
【００３９】
筐体１２は、第１面２１（前面）と、第２面２２（後面）と、第３面２３（下面）と、第４面２４（上面）と、第５面２５（右側面）と、第６面２６（左側面）と、を有する。
【００４０】
第４面２４は、内側に凹んだ第１凹部３１を含んでいる。第５面２５は、内側に凹んだ第２凹部３２をその一部に含んでいる。第６面２６は、内側に凹んだ第３凹部３３を含んでいる。
【００４１】
筐体１２は、さらに、第１凹部３１の周囲を規定する第１縁部４１と、第２凹部３２の周囲を規定する第２縁部４２と、第３凹部３３の周囲を規定する第３縁部４３と、を有している。本実施形態では、第２縁部４２は、第２凹部３２の長手方向に沿った２個の直線形の突起状に設けられている。２個の直線形の突起状の構造の間の位置に、複数の操作ボタン５１および電源ボタン５２が並んで設けられている。
【００４２】
電源ボタン５２は、複数の操作ボタン５１よりも筐体１２の内部側に位置されている。通常位置にある電源ボタン５２は、第２縁部４２よりも微小な寸法分（０．１ｍｍ〜数ｍｍ程度）筐体１２の内部側に位置している。電源ボタン５２は、第３面２３の近傍に設けられており、複数の操作ボタン５１とは分離した位置に設けられている。電源ボタン５２は、第３面２３の円弧状の形状に沿った円弧部を有し、長円形をなしている。
【００４３】
複数の操作ボタン５１は、本実施形態では、４個で構成されており、メニューボタン、チャンネル送りボタン、チャンネル戻りボタン、音量調整ボタンにそれぞれ対応している。通常位置にある複数の操作ボタン５１のそれぞれは、第２縁部４２よりも、微小な寸法分（０．１ｍｍ〜数ｍｍ程度）外側に突出して位置される。複数の操作ボタン５１のそれぞれは、押下げ位置において、第２縁部４２よりも筐体１２の内部側に位置される。音量調整ボタンに対応する操作ボタン５１は、指の形に沿って窪んだ凹所５６と、凹所５６の周囲に設けられる一対の端部５７と、を有している。図１２に示す第３の実施形態と同様に、第２凹部３２の底を通る平面３２Ａと凹所５６との間の距離Ｄ１は、平面３２Ａと第２縁部４２との間の距離Ｄ２と略同一である。
【００４４】
第２の実施形態の構造によっても、第２縁部４２による操作ボタン５１の保護をある程度期待できる。また上記の構成によれば、操作ボタン５１の誤操作の防止と、ユーザの良好な操作性と、のバランスをとることができる。
【００４５】
続いて、図６から図２０を参照して、電子機器の第３の実施形態について説明する。第３の実施形態の電子機器の一例であるポータブルコンピュータ６１（タブレット型コンピュータ）は、外観が第１の実施形態のテレビとは異なっているが、主要な構成において第１の実施形態と概ね共通している。このため、主として第１の実施形態と異なる部分について説明し、共通する箇所については共通の符号を付して説明を省略する。
【００４６】
図６に示すように、ポータブルコンピュータ６１は、例えば、合成樹脂によって箱状に形成される筐体（ハウジング、ケース、外郭、外部部材、保護部材、パーツ）１２と、筐体１２の内部に収納され一方面（表面、面、部分、領域）１７Ａおよびこれと反対側の他方面（表面、面、部分、領域、一方面と対向する部分、一方面に沿う部分）１７Ｂを含む平板状（シート状、平坦な面を有する）の表示パネル１７と、筐体１２の一部に設けられるホームボタン６２（ボタン）と、を有している。ホームボタン６２は、例えば、表示パネル１７に表示される表示画面を初期状態に戻すために使用される。表示パネル１７は、例えば、液晶ディスプレイパネルで構成されているが、例えばプラズマディスプレイパネル、有機ＥＬ、プラスチックディスプレイパネル、シートディスプレイパネル等、他の種類のディスプレイパネルであってもよい。一方面１７Ａは、表示画面でありこれに画像が表示される。表示パネル１７は、プリント回路板１５と電気的に接続される。
【００４７】
図１０に示すように、ポータブルコンピュータ６１は、ＣＰＵ等の複数の回路部品が取り付けられたプリント回路板（システム基板、基板、電子部品、部品、システム部、制御部）１５と、プリント回路板１５およびその他の部品に電力を供給するバッテリ６３と、第１ケーブル６４を介してプリント回路板１５と接続されたスピーカ５４と、第２ケーブル６５を介してプリント回路板１５と接続されたスイッチ基板（プリント回路板、基板、電子部品、部品、スイッチ部、システム基板制御部）１６と、を筐体１２の内部に備えている。ポータブルコンピュータ６１は、第１の実施形態のチューナ基板（プリント回路板、基板、電子部品、部品、チューナ部、チューナ装置、チューナ制御部）１９を筐体１２の内部に備えていてもよい。
【００４８】
図６から図９に示すように、筐体１２は、一方面１７Ａに沿った第１面２１（前面）と、他方面に沿った第２面２２（後面）と、第１面２１と第２面２２とに亘り（連続して）長手方向に延びる第３面２３（左側から見た側面、左側面）と、第３面２３とは異なる位置で第１面２１と第２面２２とに亘り（連続し）第３面２３と面する第４面２４（右側から見た側面、右側面）と、第１面２１から第４面２４にそれぞれ亘る（連続する）第５面２５（上面）と、第５面２５と面するとともに第１面２１から第４面２４にそれぞれ亘る（連続する）第６面２６（下面）と、を有する箱状をなしている。
【００４９】
第３面２３は、第１面２１および第２面２２よりも外側に突出しており、円弧状（湾曲されたような形状）の断面を有している（図７参照）。即ち、筐体１２内部から外部に向かって張り出した形状、両側面よりも中央部分が外に位置する形状、非平坦な面を有する形状、突出部が設けられた形状であると言い換えられる。つまり、筐体１２は、ユーザが左手で把持しやすいように、第３面２３が円弧状に突出している。
【００５０】
第４面２４は、第１面２１および第２面２２よりも内側に凹んだ第１凹部（開口部、窪み部）３１を含んでいる。第５面２５は、内側に凹んだ第２凹部（開口部、窪み部、壁に挟まれた部分）３２を含んでいる。第６面２６は、内側に凹んだ第３凹部（開口部、窪み部）３３を含んでいる。即ち、これらの凹んだ部分を有する形状は、筐体１２外部から内部に向かって奥まった形状、両側面よりも中央部分が内に位置する形状、第３面２３とは異なる非平坦な面を有する形状、両端が突出された形状であると言い換えられる。
【００５１】
プリント回路板１５は、筐体１２の内部で第３面２３の近傍（他の面よりも第３面２３に寄った位置、基板側面の一部と第３面２３の内面の一部とが互いに対向するように位置）に設けられている。このため、プリント回路板１５は、応力を分散し易い円弧状の第３面２３付近に配置され、外部から衝撃を受けても破損が起こりにくくなっている。
【００５２】
筐体１２は、さらに、第１凹部３１の周囲を規定する第１縁部（端部、側部、周部、縁、突出部、凸部、突部、壁部の一部、延部）４１と、第２凹部３２の周囲を規定する第２縁部（端部、側部、周部、縁、突出部、凸部、突部、壁部の一部、延部）４２と、第３凹部３３の周囲を規定する第３縁部（端部、側部、周部、縁、突出部、凸部、突部、壁部の一部、延部）４３と、を有している。言い換えると、第１縁部４１の間の位置に第１凹部３１が設けられ、第２縁部４２の間の位置に第２凹部３２が設けられ、第３縁部４３の間の位置に第３凹部３３が設けられている。
【００５３】
図７、図９、図１３、図１４、図１７、図１８に示すように、第１縁部から第３縁部４１〜４３のそれぞれは、第４面から第６面２４〜２６と第１面２１とがなす稜角（角）のそれぞれと、第４面から第６面２４〜２６と第２面２２とがなす稜角（角）のそれぞれと、を除去する（無くす、平坦面又は曲面に近づける）ように斜めに形成されている。
【００５４】
図１９に示すように、筐体１２は、第１面２１を含むとともに表示パネル１７が固定される第１ケース（第１部材、部品）３４と、第２面２２を含む第２ケース（第２部材、部品）３５と、第１ケース３４と第２ケース３５とを固定した複数の固定部材（固定部、部品、接続部）３６と、を有する。図６に示すように、第１ケース３４は、表示パネル１７を外部に露出するための方形の開放部５８を有している。
【００５５】
第１ケース３４は、ケース本体３４Ａと、ケース本体３４Ａに着脱可能に取り付けられる中間部材（第３部材、取り付け部）３４Ｂと、を有している。ケース本体３４Ａと中間部材３４Ｂとの間に、表示パネル１７が介在されている。図１９に示すように、第２ケース３５は、第１ケース３４に対して第２面２２に沿う方向に着脱可能である。
【００５６】
図１９、図２０に示すように、複数の固定部材３６は、第３面２３に対して第２面２２に沿う方向から取り付けられる。固定部材３６のそれぞれは、例えばねじや係合用の爪部、フック、その他の部品・部材等で構成されている。図２０に示すように、筐体１２は、固定部材３６が固定される固定孔６６と、後述する化粧部材４５を取り付けるための取付孔６７と、を第３面２３に有している。
【００５７】
図１９に示すように、第１ケース３４は、かぎ状に突出した第１係合部３７を有する。本実施形態では、第１係合部３７は２個で構成されているが、１個で実現してもよいし３個以上でもよい。第２ケース３５は、同様にかぎ状に突出して、第１係合部３７と第２面２２に沿う方向に係合可能な第２係合部３８を有する。本実施形態では、第２係合部３８は２個で構成されているが、１個で実現してもよいし、３個以上でもよい。
【００５８】
図８、図２０に示すように、筐体１２は、第３面２３に設けられ記憶媒体および認証用のカードが差し込まれる複数のスロット用の第１孔４４と、複数の固定部材３６および複数のスロット用の第１孔（開口部、穴、収容部、差込部）４４を覆うように第３面２３に取り付けられた複数の化粧部材４５（化粧板、覆部、意匠部、筐体の一部、外部部材の一部）と、第６面２６に設けられ記憶媒体が差し込まれる第２スロット用の第２孔７１と、第６面２６に設けられヘッドホンのプラグが差し込まれるジャック用の第３孔７２と、を有する。図９、図１１に示すように、筐体１２は、第１凹部から第３凹部３１〜３３に跨るように第１凹部から第３凹部３１〜３３のそれぞれからさらに窪んだ窪み部（凹んだ部分、奥まった部分、他の部分よりも低くなった部分）４６を有する。
【００５９】
ポータブルコンピュータ６１は、第２凹部３２内に並んで設けられる複数の操作ボタン（操作部、ボタン、入力部、入力受付部、受付部、変位部）５１と、第２凹部３２内に複数の操作ボタン５１と並んで設けられる電源ボタン（操作部、ボタン、入力部、入力受付部、受付部、変位部）５２と、第３凹部３３内に設けられるとともにシリアルナンバーなどの製造上の管理情報（情報）が記載されたラベル５３と、第３凹部３３内でスピーカ５４の近傍に設けられる複数の開口部５５と、をさらに備えている。なお、複数の操作ボタン５１、電源ボタン５２、およびスイッチ基板１６によって、プリント回路板１５と電気的に接続されて外部からの操作入力を受け付ける受付部が構成される。第２凹部３２には、このように構成された受付部を外部に露出するための開口部３９が設けられる。
【００６０】
電源ボタン５２は、複数の操作ボタン５１よりも筐体１２の内部側に位置されている。図１４に示すように、電源ボタン５２は、第５面２５と交差する方向に進退（変位）して、押し込み位置においてスイッチ基板１６と接して、ポータブルコンピュータ６１の電源のオン・オフを行うことができる。通常位置にある電源ボタン５２は、第２縁部４２よりも微小な寸法分（０．１ｍｍ〜数ｍｍ程度）筐体１２の内部側に位置している。図１６に示すように、電源ボタン５２は、第３面２３の近傍（第５面２５の端部付近）に設けられており、複数の操作ボタン５１とは分離した位置に設けられている。図１６に示すように、電源ボタン５２は、第３面２３の円弧状の形状に沿った円弧部を有し、長円形をなしている。図１５に示すように、電源ボタン５２の長手方向と交差する方向における電源ボタン５２の幅寸法は、窪み部４６の幅寸法と略同一である。
【００６１】
図７に示すように、複数の操作ボタン５１は、本実施形態では、４個で構成されており、メニューボタン、送りボタン（ページ送りボタン）、戻りボタン（ページ戻りボタン）、音量調整ボタンにそれぞれ対応している。図１３に示すように、複数の操作ボタン５１のそれぞれは、第５面２５と交差する方向に進退して、押し込み位置においてスイッチ基板１６と接してポータブルコンピュータ６１に各種の操作を行うことができる。なお、中間部材３４Ｂおよびバッテリ６３は、スイッチ基板１６に当接してこれを支持しており、ユーザが誤って電源ボタン５２および操作ボタン５１を強く押した場合でも、スイッチ基板１６の位置がずれないようになっている。
【００６２】
通常位置にある複数の操作ボタン５１のそれぞれは、第２縁部４２（第１面２１および第２面２２）よりも、微小な寸法分（０．１ｍｍ〜数ｍｍ程度）外側に突出して位置される。複数の操作ボタン５１のそれぞれは、押下げ位置において、第２縁部４２よりも筐体１２の内部側に位置される。図１５に示すように、複数の操作ボタン５１のそれぞれの長手方向と交差する方向における操作ボタン５１の幅寸法は、窪み部４６の幅寸法よりも微小な寸法分だけ大きくなっている。なお、複数の操作ボタン５１のストローク量は、電源ボタン５２のストローク量と略同一である。
【００６３】
図６および図１２に示すように、音量調整ボタンに対応する操作ボタン５１は、指の形に沿って窪んだ凹所５６と、凹所５６の周囲に設けられた一対の端部５７と、を有している。各端部５７は、互いに異なる操作に対応しており、具体的には、音量の増加および音量の減少の操作に対応する。図１２に示すように、第２凹部３２の底を通る平面３２Ａと凹所５６との間の距離Ｄ１は、平面３２Ａと第２縁部４２との間の距離Ｄ２と略同一である。
【００６４】
第３の実施形態によれば、ポータブルコンピュータ６１は、一方面１７Ａと、一方面１７Ａの反対側の他方面１７Ｂと、を含んだ表示パネル１７と、一方面１７Ａに沿った第１面２１と、他方面１７Ｂに沿った第２面２２と、第１面２１と第２面２２とに連続して長手方向に延びるとともに外側に突出した第３面２３と、第１面２１と第２面２２とに連続し第３面２３と面するとともに内側に凹んだ第１凹部３１を含む第４面２４と、を有するとともに、表示パネル１７を収納した筐体１２と、を備える。
【００６５】
この構成によれば、ポータブルコンピュータ６１の全体形状を本型にすることができ、体裁を良好にすることができる。
【００６６】
ポータブルコンピュータ６１は、筐体１２に設けられ、第１面２１から第４面２４にそれぞれ連続するとともに内側に凹んだ第２凹部３２を含む第５面２５と、第２凹部３２内に並んで設けられる複数の操作ボタン５１と、第２凹部３２内に複数の操作ボタン５１と並んで設けられる電源ボタン５２と、を備える。この構成によれば、第２凹部３２内に複数の操作ボタン５１および電源ボタン５２が配置されているため、第１面２１の方向から複数の操作ボタン５１および電源ボタン５２を見え難くすることができ、ポータブルコンピュータ６１の体裁を良好できるとともに、これらのボタンを設けることによってポータブルコンピュータ６１の操作性を向上することができる。
【００６７】
本実施形態では、電源ボタン５２は、複数の操作ボタン５１よりも筐体１２の内部側に位置される。この構成によれば、電源ボタン５２を誤って押すことで電源のオン・オフの誤作動を生ずる危険性を低減できる。
【００６８】
この電源ボタン５２は、第５面２５と交差する方向に進退可能であるとともに、通常位置にある電源ボタン５２は、第２凹部３２の周囲を規定する第２縁部４２よりも筐体１２の内部側に位置される。この構成によれば、電源ボタン５２の押し誤りの危険性をさらに低減することができ、動作中のポータブルコンピュータ６１およびその周辺機器に影響を与える小さくすることができる。
【００６９】
この場合、第３面２３は、円弧状の断面を有する。この構成によれば、ポータブルコンピュータ６１の体裁を良好にできる。電源ボタン５２は、第３面２３の形状に沿った長円形をなしている。この構成によれば、電源ボタン５２を第３面２３にできるだけ近づけて配置でき、筐体１２内のスペースの使用効率を向上できる。
【００７０】
ポータブルコンピュータ６１は、筐体１２の内部で第３面２３の近傍に設けられるプリント回路板１５を備える。この構成によれば応力の集中し難い円弧状断面の第３面２３の近傍にプリント回路板１５を配置することができ、外部から衝撃が加えられた場合でも第３面２３付近で筐体１２の破損を防止するとともにプリント回路板１５の破損も防止できる。
【００７１】
本実施形態では、複数の操作ボタン５１は、第５面２５と交差する方向に進退可能であるとともに、通常位置にある複数の操作ボタン５１は、第２縁部４２よりも微小な寸法分外側に位置される。例えば、この構成のように、操作ボタン５１が第２縁部４２よりも筐体１２内側に完全に位置していなくても、第２縁部４２による操作ボタン５１の保護はある程度期待できる。上記の構成によれば、操作ボタン５１の誤操作の防止と、ユーザの良好な操作性と、のバランスをとることができる。
【００７２】
複数の操作ボタン５１は、押下げ位置で第２縁部４２よりも筐体１２の内部側に位置される。この構成によれば、操作ボタン５１を押下げた際にユーザの指等が第２縁部４２に突き当たって止まるため、ユーザが強い力で押した場合でも、押し過ぎによってボタンを破損してしまう危険性を低減できる。
【００７３】
複数の操作ボタン５１のうちの１個は、指の形に沿って窪んだ凹所５６と、凹所５６の周囲に設けられる一対の端部５７と、を有し、一対の端部５７のそれぞれは、互いに異なる操作に対応する。この構成によれば、１個のボタンで２つの操作を行うことができ、操作ボタン５１の数を低減してコスト低減を図ることができるとともに、筐体１２の小型化を図ることができる。
【００７４】
第２凹部３２の底を通る平面３２Ａと凹所５６との間の距離Ｄ１は、平面３２Ａと第２縁部４２との間の距離Ｄ２と略同一である。この構成によれば、当該凹所５６に指を掛けやすくして、指を掛けたまま当該操作ボタン５１を操作することができ、操作性を向上できる。
【００７５】
ポータブルコンピュータ６１は、筐体１２に設けられ、第１面２１から第４面２４にそれぞれ連続し第５面２５と面するとともに内側に凹んだ第３凹部３３を含む第６面２６と、第３凹部３３内に設けられるとともに情報が記載されたラベル５３と、を備える。この構成によれば、当該ラベル５３を筐体１２から剥がれにくい箇所に設置して、意図せずラベル５３が筐体１２から脱落してしまうことを防止できる。
【００７６】
ポータブルコンピュータ６１は、筐体１２の内部に設けられるスピーカ５４と、第３凹部３３内でスピーカ５４の近傍に設けられる複数の開口部５５と、を備える。この構成によれば、仮に第６面２６が壁等に接するようにポータブルコンピュータ６１が配置されたとしても、スピーカ５４からの音を外部に放出するための開口部５５が塞がれてしまうことを防止することができる。
【００７７】
筐体１２は、第１面２１を含むとともに表示パネル１７が固定される第１ケース３４と、第２面２２を含むとともに第１ケース３４に対して第２面２２に沿う方向に着脱可能な第２ケース３５と、第２面２２に沿う方向に延びて第１ケース３４と第２ケース３５とを固定した複数の固定部材３６と、を有する。この構成によれば、固定部材３６を第２面２２に沿う方向に配置して、筐体１２の厚み寸法を低減することができる。
【００７８】
筐体１２は、第１凹部３１から第３凹部３３に跨るように第１凹部３１から第３凹部３３のそれぞれからさらに窪んだ窪み部４６を有する。この構成によれば、筐体１２の体裁を良好にできるとともに、筐体１２の薄さを際立たせることができる。
【００７９】
第１縁部４１から第３縁部４３のそれぞれは、第４面２４から第６面２６と第１面２１とがなす稜角のそれぞれと、第４面２４から第６面２６と第２面２２とがなす稜角のそれぞれと、を除去するように斜めになっている。この構成によれば、筐体１２に丸みを持たせて体裁を良好にできるとともに、厚み寸法を小さく見せることができる。
【００８０】
続いて、図２１を参照して、第３の実施形態の電子機器の一例であるポータブルコンピュータの変形例について説明する。同図に示すように、ポータブルコンピュータ６１は、筐体１２の内部に、スピーカ５４からの音を響かせる（共鳴）させる領域８１を有している。この領域８１は、筐体１２の一部（第４面２４）、スピーカ５４、プリント回路板１５（プリント回路板１５上にあるコネクタ１５Ａ）、バッテリ６３によって周囲が規定されている。また、スピーカ５４に設けられる複数の開口５４Ａは、当該領域８１に向かって形成されている。
【００８１】
本変形例によれば、筐体１２の内部に該領域８１を設けることができ、音響効果を向上してポータブルコンピュータ６１に高級感を持たせることができる。
【００８２】
電子機器は、上記実施形態に示したテレビ１１、ポータブルコンピュータ６１に限らず、例えば携帯電話機のようなその他の電子機器に対しても当然に実施可能である。
【００８３】
さらに、電子機器は上記実施形態そのままに限定されるものではなく、実施段階ではその要旨を逸脱しない範囲で構成要素を変形して具体化できる。さらに、上記実施形態に開示されている複数の構成要素の適宜な組み合わせにより種々の発明を形成できる。例えば、実施形態に示される全構成要素から幾つかの構成要素を削除してもよい。更に、異なる実施形態に亘る構成要素を適宜組み合わせてもよい。
以下に、本願出願の当初の特許請求の範囲に記載された発明を付記する。
［１］
画像が表示される一方面と、前記一方面の反対側の他方面と、を含んだ表示パネルと、
前記表示パネルと電気的に接続されたプリント基板と、
前記一方面に沿った第１面と、前記他方面に沿った第２面と、前記第１面と前記第２面とに亘るとともに前記第１面および前記第２面よりも外側に突出した第３面と、該第３面とは異なる位置で前記第１面と前記第２面とに亘るとともに前記第１面および前記第２面よりも内側に凹んだ第１凹部を含む第４面と、を有し、前記表示パネルと前記プリント基板が収納された筐体と、
を含み、
前記プリント基板は、前記筐体内で前記第４面よりも前記第３面側に寄って位置され、
前記第１凹部には、前記プリント基板と電気的に接続されて外部からの操作入力を受け付ける受付部が露出された開口部が設けられ、
前記受付部の先端が、前記第１面および前記第２面よりも外側に突出したテレビ。
［２］
前記筐体に設けられ、前記第１面から前記第４面にそれぞれ連続するとともに内側に凹んだ第２凹部を含む第５面を備え、
前記受付部は、
前記第２凹部内に並んで設けられる複数の操作ボタンと、
前記第２凹部内に前記複数の操作ボタンと並んで設けられる電源ボタンと、
を含む［１］に記載のテレビ。
［３］
前記電源ボタンは、前記複数の操作ボタンよりも前記筐体の内部側に位置される［２］に記載のテレビ。
［４］
前記電源ボタンは、前記第５面と交差する方向に進退可能であるとともに、通常位置にある前記電源ボタンは、前記第２凹部の周囲を規定する第２縁部よりも前記筐体の内部側に位置される［２］または［３］に記載のテレビ。
［５］
前記第３面は、円弧状の断面を有する［１］または［４］に記載のテレビ。
［６］
前記電源ボタンは、前記第３面の近傍に設けられ、前記第３面の形状に沿った長円形をなした［２］または［５］に記載のテレビ。
［７］
前記筐体に設けられ、前記第１面から前記第４面にそれぞれ連続するとともに内側に凹んだ第２凹部を含む第５面を備え、
前記複数の操作ボタンは、押下げ位置で前記第２凹部の周囲を規定する第２縁部よりも前記筐体の内部側に位置される［２］または［６］に記載のテレビ。
［８］
前記筐体に設けられ、前記第１面から前記第４面にそれぞれ連続するとともに内側に凹んだ第３凹部を含む第６面と、
前記第３凹部内に設けられるとともに情報が記載されたラベルと、
を備える［１］または［７］に記載のテレビ。
［９］
前記筐体に設けられ、前記第１面から前記第４面にそれぞれ連続するとともに内側に凹んだ第３凹部を含む第６面と、
前記筐体の内部に設けられるスピーカと、
前記第３凹部内で前記スピーカの近傍に設けられる複数の開口部と、
を備える［１］または［８］に記載のテレビ。
［１０］
前記筐体に設けられ、前記第１面から前記第４面にそれぞれ連続するとともに内側に凹んだ第２凹部を含む第５面と、
前記筐体に設けられ、前記第１面から前記第４面にそれぞれ連続するとともに内側に凹んだ第３凹部を含む第６面と、
を備え、
前記筐体は、前記第１凹部から前記第３凹部に跨るように前記第１凹部から前記第３凹部のそれぞれからさらに窪んだ窪み部を有する［１］または［９］に記載のテレビ。
［１１］
前記筐体に設けられ、前記第１面から前記第４面にそれぞれ連続するとともに内側に凹んだ第２凹部を含む第５面と、
前記筐体に設けられ、前記第１面から前記第４面にそれぞれ連続するとともに内側に凹んだ第３凹部を含む第６面と、
を備え、
前記筐体は、
前記第１凹部の周囲を規定する第１縁部と、
前記第２凹部の周囲を規定する第２縁部と、
前記第３凹部の周囲を規定する第３縁部と、
を有し、
前記第１縁部から前記第３縁部のそれぞれは、前記第４面から前記第６面と前記第１面とがなす稜角のそれぞれと、前記第４面から前記第６面と前記第２面とがなす稜角のそれぞれと、を除去するように斜めになった［１］または［１０］に記載のテレビ。
［１２］
一方面と、前記一方面の反対側の他方面と、を含んだ表示パネルと、
前記一方面に沿った第１面と、前記他方面に沿った第２面と、前記第１面と前記第２面とに連続して長手方向に延びるとともに外側に突出した第３面と、前記第１面と前記第２面とに連続し前記第３面と面するとともに内側に凹んだ第１凹部を含む第４面と、を有するとともに、前記表示パネルを収納した筐体と、
を備える電子機器。
【符号の説明】
【００８４】
１１…テレビ、１２…筐体、１５…プリント回路板、１７…表示パネル、１７Ａ…一方面、１７Ｂ…他方面、２１…第１面、２２…第２面、２３…第３面、２４…第４面、２５…第５面、２６…第６面、３１…第１凹部、３２…第２凹部、３２Ａ…平面、３３…第３凹部、３４…第１ケース、３５…第２ケース、３６…固定部材、３７…第１係合部、３８…第２係合部、４１…第１縁部、４２…第２縁部、４３…第３縁部、４６…窪み部、５１…操作ボタン、５２…電源ボタン、５３…ラベル、５４…スピーカ、５５…開口部、５６…凹所、５７…端部、６１…ポータブルコンピュータ
【図１】
0005426697.tif 000002
【図２】
0005426697.tif 000003
【図３】
0005426697.tif 000004
【図４】
0005426697.tif 000005
【図５】
0005426697.tif 000006
【図６】
0005426697.tif 000007
【図７】
0005426697.tif 000008
【図８】
0005426697.tif 000009
【図９】
0005426697.tif 000010
【図１０】
0005426697.tif 000011
【図１１】
0005426697.tif 000012
【図１２】
0005426697.tif 000013
【図１３】
0005426697.tif 000014
【図１４】
0005426697.tif 000015
【図１５】
0005426697.tif 000016
【図１６】
0005426697.tif 000017
【図１７】
0005426697.tif 000018
【図１８】
0005426697.tif 000019
【図１９】
0005426697.tif 000020
【図２０】
0005426697.tif 000021
【図２１】
0005426697.tif 000022